(57)【要約】【課題】無線通信機器の設置場所や識別子を把握していなくても、機器情報設定端末からの機器情報の設定を行えるようにする。【解決手段】無線操作端末３からブロードキャストで通信可能圏内の無線通信機器２へ機器情報問い合わせ要求メッセージＳ１を送信する。このメッセージＳ１を受信した無線通信機器２は自己の識別子とアドレスを含む機器情報問い合わせ応答メッセージＳ２を無線操作端末３へ返送する。このメッセージＳ２を受信して、無線操作端末３は、メッセージＳ２を返送してきた無線通信機器の一覧を表示する。この一覧から所望の機器が選択されると、無線操作端末３は、パラメータの入力画面を表示する。このパラメータの入力画面からパラメータ値を入力すると、そのパラメータ値を含む機器情報設定要求メッセージＳ３が、一覧中で選択した無線通信機器２に宛てて送信される。【選択図】  図１
2011030052.tif 000002
【特許請求の範囲】
【請求項１】
自己を特定する情報が機器特定情報として設定された複数の無線通信機器と、この無線通信機器に対して無線通信によりその機器で使用される情報を機器情報として設定する機器情報設定端末とを備えた無線通信システムにおいて、
前記機器情報設定端末は、
ユーザ操作に応じ、通信可能圏内の前記無線通信機器にブロードキャストで、その機器に設定されている前記機器特定情報の返送を依頼する機器特定情報問い合わせ要求を送信する機器特定情報問い合わせ要求送信手段と、
前記機器特定情報問い合わせ要求に応えて前記機器特定情報を返送してきた前記無線通信機器の一覧を表示する無線通信機器一覧表示手段と、
前記表示された無線通信機器の一覧の中から所望の機器を選択して入力された設定情報を含む機器情報設定要求をその選択された機器からの機器特定情報によって特定される無線通信機器に宛てて送信する機器情報設定要求送信手段とを備え、
前記無線通信機器は、
前記機器情報設定端末から送られてくる前記機器特定情報問い合わせ要求を受信した場合、自己に設定されている前記機器特定情報を前記機器情報設定端末へ返送する機器特定情報返送手段と、
前記機器情報設定端末から送られてくる前記機器情報設定要求を受信し、その機器情報設定要求に含まれている設定情報を自己宛の機器情報としてメモリに設定する機器情報設定手段と
を備えることを特徴とする無線通信システム。
【請求項２】
請求項１に記載された無線通信システムにおいて、
前記機器情報設定端末は、
前記表示された無線通信機器の一覧の中から選択された所望の機器に設定されている現在の設定情報を取得し表示する設定情報表示手段
を備えることを特徴とする無線通信システム。
【請求項３】
請求項１又は２に記載された無線通信システムにおいて、
前記機器情報設定端末は、
ユーザ操作に応じ、前記機器特定情報問い合わせ要求送信手段に対し、前記機器特定情報問い合わせ要求を送信する際の送信電波強度の切り替えを指示する送信電波強度切替手段
を備えることを特徴とする無線通信システム。
【請求項４】
請求項１〜３の何れか１項に記載された無線通信システムにおいて、
前記機器情報設定端末は、
前記表示された無線通信機器の一覧の中から所望の機器が選択された場合、その選択された機器からの機器特定情報によって特定される無線通信機器に宛てて位置確認要求を送信する位置確認要求送信手段を備え、
前記無線通信機器は、
前記機器情報設定端末から送られてくる前記位置確認要求を受信し、所定の動作を行って自己の位置を知らせる位置確認応答手段
を備えることを特徴とする無線通信システム。
【発明の詳細な説明】
【技術分野】
【０００１】
この発明は、無線通信機器に対して機器情報設定端末から無線通信によりネットワークアドレスやパラメータなどの機器情報を設定する無線通信システムに関するものである。
【背景技術】
【０００２】
近年、無線通信を利用して、環境計測・監視・制御などを行うシステムが増加している。この環境計測・監視・制御などを行う無線通信システムでは、対象エリアが比較的広い、又は、対象エリア内に無線通信の障害物が多々存在する場合が多い。このような場合、対象エリアをカバーするためには、受信器と送信器の設置位置や電波状況等の環境により直接通信できなくても、他のデバイスを中継して通信を行うことができる無線通信ネットワークを利用することが有利である。
【０００３】
この種の無線通信ネットワークとして、ジグビー（Ｚｉｇｂｅｅ（登録商標））プロトコルを利用した無線通信ネットワークなど、メッシュネットワークが提案されている（例えば、特許文献１、２参照）。このメッシュネットワークでは、多数の通信ノード（デバイス）をメッシュ状に配置し、通信ノード間の双方向の通信を直接通信圏内にある他の通信ノードを中継して行うもので、１つの通信経路がマルチパスフェージングの影響を受けて通信不能に陥ったとしても、他の通信経路を探索して通信を継続することができる技術である。なお、マルチパスフェージングとは、複数の通信電波反射経路の間に発生する位相差により受信電波が打ち消され、受信ができなくなる現象をいう。
【０００４】
このメッシュネットワークを構成する無線通信機器には、監視や制御用途の通信機器として機能させるために、ネットワークアドレス（以下、単にアドレスと呼ぶ）やパラメータなどの機器情報を設定する必要がある。従来、この無線通信機器への機器情報の設定は、無線通信機器の設置場所で行っている。しかしながら、この種の無線通信機器は、天井裏などに設置されることが多く、極めて作業効率が悪い。
【０００５】
これに対し、無線通信機器に対して機器情報設定端末から無線通信により機器情報の設定を行うようにすれば、天井裏で無線通信機器への機器情報の設定を行わなくてもよく、設定作業が簡単となる。例えば、その一例として、機器情報設定端末において無線通信機器に設定されている固有の識別子（物理識別子）を指定し、この識別子を指定した無線通信機器に機器情報設定端末から無線で機器情報を送り、その無線通信機器のメモリに記憶させるという方法が提案されている（例えば、特許文献３参照）。
【先行技術文献】
【特許文献】
【０００６】
【特許文献１】特開２００６−５９２８号公報
【特許文献２】特開２００６−４２３７０号公報
【特許文献３】特開平８−１４０１６９号公報
【発明の概要】
【発明が解決しようとする課題】
【０００７】
しかしながら、この方法では、無線通信機器の設置場所や識別子を把握していなければならず、無線通信機器の設置場所や識別子が不明である場合には、 機器情報設定端末からの機器情報の設定が困難であった。
【０００８】
本発明は、このような課題を解決するためになされたもので、その目的とするところは、無線通信機器の設置場所や識別子を把握していなくても、機器情報設定端末からの機器情報の設定を行うことが可能な無線通信システムを提供することにある。
【課題を解決するための手段】
【０００９】
このような目的を達成するために本発明は、自己を特定する情報が機器特定情報として設定された複数の無線通信機器と、この無線通信機器に対して無線通信によりその機器で使用される情報を機器情報として設定する機器情報設定端末とを備えた無線通信システムにおいて、機器情報設定端末に、ユーザ操作に応じ、通信可能圏内の無線通信機器にブロードキャストで、その機器に設定されている機器特定情報の返送を依頼する機器特定情報問い合わせ要求を送信する機器特定情報問い合わせ要求送信手段と、機器特定情報問い合わせ要求に応えて機器特定情報を返送してきた無線通信機器の一覧を表示する無線通信機器一覧表示手段と、表示された無線通信機器の一覧の中から所望の機器を選択して入力された設定情報を含む機器情報設定要求をその選択された機器からの機器特定情報によって特定される無線通信機器に宛てて送信する機器情報設定要求送信手段とを設け、無線通信機器に、機器情報設定端末から送られてくる機器特定情報問い合わせ要求を受信した場合、自己に設定されている機器特定情報を機器情報設定端末へ返送する機器特定情報返送手段と、機器情報設定端末から送られてくる機器情報設定要求を受信し、その機器情報設定要求に含まれている設定情報を自己宛の機器情報としてメモリに設定する機器情報設定手段とを設けたものである。
【００１０】
本発明では、機器情報設定端末において、無線通信機器の一覧の中から所望の機器を選択して設定情報を入力するが、この設定情報の入力に際して、その選択された機器に設定されている現在の設定情報を取得し表示させるようにしてもよい。
また、機器情報設定端末に、ユーザ操作に応じ、機器特定情報問い合わせ要求送信手段に対し、機器特定情報問い合わせ要求を送信する際の送信電波強度の切り替えを指示する送信電波強度切替手段を設けるようにしてもよい。
また、機器情報設定端末に、表示された無線通信機器の一覧の中から所望の機器が選択された場合、その選択された機器からの機器特定情報によって特定される無線通信機器に宛てて位置確認要求を送信する位置確認要求送信手段を設け、無線通信機器に、機器情報設定端末から送られてくる位置確認要求を受信し、所定の動作を行って自己の位置を知らせる位置確認応答手段を設けるようにしてもよい。
【発明の効果】
【００１１】
本発明によれば、機器情報設定端末より通信可能圏内の無線通信機器にブロードキャストでその機器に設定されている機器特定情報の返送を依頼する機器特定情報問い合わせ要求を送信し、この機器特定情報問い合わせ要求に応えて機器特定情報を返送してきた無線通信機器の一覧を機器情報設定端末において表示するようにし、この表示された無線通信機器の一覧の中から所望の機器を選択して入力された設定情報を含む機器情報設定要求をその選択された機器からの機器特定情報によって特定される無線通信機器に宛てて送信するようにしたので、無線通信機器の設置場所や識別子を把握していなくても、機器情報設定端末からの機器情報の設定を行うことが可能となる。
【図面の簡単な説明】
【００１２】
【図１】本発明に係る無線通信システムをジグビープロトコルを利用した無線通信システムへ適用した例を示す図である。
【図２】この無線通信システムにおける各無線通信機器に設定された識別子とアドレス（ネットワークアドレス）との関係を示す図である。
【図３】この無線通信システムにおける無線操作端末が実行する特有の処理動作（実施の形態１）を示すフローチャートである。
【図４】この無線通信システムにおける無線通信機器が実行する特有の処理動作（実施の形態１）を示すフローチャートである。
【図５】この無線通信システムにおける無線操作端末の画面上に表示される無線通信機器の一覧およびこの一覧から所望の機器を選択した場合にパラメータの入力画面が表示される様子を示す図である。
【図６】この無線通信システムにおける無線通信機器の機能ブロック図である。
【図７】この無線通信システムにおける無線操作端末の機能ブロック図である。
【図８】パラメータ値などの設定情報の入力の際に現在の設定値を表示させることができるようにした場合の無線通信機器の機能ブロック図である。
【図９】パラメータ値などの設定情報の入力の際に現在の設定値を表示させることができるようにした場合の無線操作端末の機能ブロック図である。
【図１０】送信電波強度の切替を行えるようにした無線通信システム（実施の形態２）における無線操作端末の機能ブロック図である。
【図１１】選択した無線通信機器の位置の確認を行えるようにした無線通信システム（実施の形態３）における無線操作端末の機能ブロック図である。
【図１２】選択した無線通信機器の位置の確認を行えるようにした無線通信システム（実施の形態３）における無線通信機器の機能ブロック図である。
【発明を実施するための形態】
【００１３】
以下、本発明を図面に基づいて詳細に説明する。図１に本発明に係る無線通信システムをジグビープロトコルを利用した無線通信システムへ適用した例を示す。
【００１４】
この例では、天井裏に、コーディネータ１および６台のルータ２（２−１〜２−６）をジグビープロトコルによって接続している。また、居室内に、携帯型の無線操作端末３をエンドデバイスとして配置している。この無線通信システムでは、ルータ２が本発明でいう無線通信機器に対応し、無線操作端末３が機器情報設定端末に対応する。以下、ルータ２を無線通信機器と呼ぶ。
【００１５】
また、この例において、無線通信機器２−１〜２−６には、固有の識別子（物理識別子）とアドレス（ネットワークアドレス）が設定されている。図２に無線通信機器２−１〜２−６に設定された識別子とアドレスとの関係を示す。この例では、無線通信機器２−１に識別子＃０１とアドレス０００２とが対として設定され、無線通信機器２−２に識別子＃０２とアドレス０００１とが対として設定され、無線通信機器２−３に識別子＃０３とアドレス０１００とが対として設定され、無線通信機器２−４に識別子＃０４とアドレス０１１０とが対として設定され、無線通信機器２−５に識別子＃０５とアドレス０１１１とが対として設定され、無線通信機器２−６に識別子＃０６とアドレス０１０１とが対として設定されている。
【００１６】
また、この例では、無線通信機器２−１〜２−６のうち無線通信機器２−１〜２−３が無線操作端末３の通信可能圏内に位置しているものとする。すなわち、無線操作端末３のブロードキャスト送信到達距離内に無線通信機器２−１〜２−３が位置し、無線通信機器２−４〜２−６は無線操作端末３のブロードキャスト送信到達距離外に位置しているものとする。また、無線操作端末３には、識別子として「＃Ｘ」が、アドレスとして「０００Ｘ」が設定されているものとする。
【００１７】
〔無線操作端末３のネットワークへの加入〕
無線操作端末３のネットワークへの加入は次のようにして行われる。ユーザが無線操作端末３の電源を入れると、ジグビーのエンドデバイスとして実装されている無線操作端末３は、ジグビーで規定されているネットワーク加入方式に基づき、天井裏に設置されている無線通信機器２−１〜２−６が加入しているネットワークに加入する。この例において、無線操作端末３は、識別子＃０３で特定される無線通信機器２−３の子デバイスとしてネットワークに加入している。
【００１８】
なお、この無線操作端末３のネットワークへの加入の仕方は、本例がジグビー通信網上で実現されていることを例として説明したためであり、他の通信網上で実現する場合には、その通信網で決められている方法に従って、ネットワークへのアクセスを行えばよい。
【００１９】
このようにして、図１では、無線通信機器２−１〜２−６が加入しているネットワークに無線操作端末３が加入し、以降は無線通信機器２−１〜２−６との通信が可能な状態になっている。以下、このような状態になっていることを前提として、無線操作端末３および無線通信機器２が有する特有の機能について説明する。
【００２０】
〔実施の形態１〕
〔周辺に位置する無線通信機器の探索〕
無線操作端末３は、探索ボタン（図示せず）がオンとされると（図３：ステップＳ１０１のＹＥＳ）、通信可能圏内の無線通信機器２にブロードキャストで、その無線通信機器２に設定されている機器特定情報の返送を依頼する機器特定情報問い合わせ要求メッセージＳ１を送信する（ステップＳ１０２）。この例では、機器特定情報として無線通信機器２に設定されている識別子およびアドレスの返送を依頼する。また、機器特定情報問い合わせ要求メッセージＳ１には、応答を受信するために、自己のアドレス０００Ｘを付加する。
【００２１】
無線操作端末３よりブロードキャストで送信された機器特定情報問い合わせ要求メッセージＳ１は通信可能圏内の無線通信機器２−１〜２−３で受信される。無線通信機器２−１〜２−３は、無線操作端末３からの機器特定情報問い合わせ要求メッセージＳ１を受信すると（図４：ステップＳ２０１のＹＥＳ）、自己の識別子およびアドレスを機器特定情報として含む機器特定情報問い合わせ応答メッセージＳ２を無線操作端末３へ返送する（ステップＳ２０２）。
【００２２】
この場合、無線通信機器２−１は自己の識別子＃０１とアドレス０００２を機器特定情報として無線操作端末３へ返送し、無線通信機器２−２は自己の識別子＃０２とアドレス０００１を機器特定情報として無線操作端末３へ返送し、無線通信機器２−３は自己の識別子＃０３とアドレス０１００を機器特定情報として無線操作端末３へ返送する。
【００２３】
なお、無線通信機器２−１〜２−３からの機器特定情報問い合わせ応答メッセージＳ２の返送は、ブロードキャストメッセージに対する応答送信のために通常用いられる方法に従う。すなわち、自己の識別子×所定時間の遅れ時間を置いて送信し、無線通信機器２〜１〜２−３からの機器特定情報問い合わせ応答メッセージＳ２が衝突しないようにする。
【００２４】
無線操作端末３は、無線通信機器２〜１〜２−３からの機器特定情報問い合わせ応答メッセージＳ２を全て受信すると（ステップＳ１０３のＹＥＳ）、その機器特定情報問い合わせ応答メッセージＳ２に含まれる機器特定情報（識別子とアドレスとの対）をメモリに記憶する（ステップＳ１０４）。また、その機器特定情報問い合わせ応答メッセージＳ２を返送してきた無線通信機器の一覧を表示する（ステップＳ１０５）。この例では、図５（ａ）に示すように、メッセージＳ２に含まれる識別子の一覧Ｇ１を表示する。この一覧Ｇ１を見ることにより、ユーザは、無線操作端末３の周辺に位置している無線通信機器２を知ることができる。
【００２５】
なお、この例では、一覧Ｇ１にメッセージＳ２に含まれる識別子を表示するようにしたが、アドレスを表示するようにしてもよい。また、識別子とアドレスとを対として表示するようにしてもよい。また、識別子やアドレスではなく、機器の名称（例えば、「対象ルータ１」など）などを表示するようにしてもよい。
【００２６】
〔パラメータの設定〕
ここで、例えば、無線通信機器２−２に対してパラメータの設定を行いたいものとする。この場合、ユーザは、一覧Ｇ１において、識別子＃０２を選択する。すると、無線操作端末３は、一覧Ｇ１において識別子＃２が選択されたことを認識し（ステップＳ１０６のＹＥＳ）、無線通信機器２−２のパラメータの入力画面Ｇ２（図５（ｂ））を表示する（ステップＳ１０７）。
【００２７】
ユーザは、この表示されたパラメータの入力画面Ｇ２から、無線通信機器２−２に対する所要のパラメータ値（例えば、温度設定値、湿度設定値など）を入力する。ユーザからの無線通信機器２−２に対するパラメータ値の入力が完了すると（ステップＳ１０８のＹＥＳ）、無線操作端末３は、一覧Ｇ１において選択された識別子＃０２と対として記憶されているアドレス０００１を取得し（ステップＳ１０９）、このアドレス０００１で特定される無線通信機器２−２に対して、パラメータの入力画面Ｇ２から入力されたパラメータ値を含む機器情報設定要求メッセージＳ３を送信する（ステップＳ１１０）。
【００２８】
なお、パラメータが複数存在する場合には、パラメータにＩＤを付与し、ＩＤ毎に入力可能とし、機器情報設定要求メッセージＳ３には、パラメータＩＤとパラメータ値の組を送信するようにしてもよい。また、パラメータ値の読み出し手段を無線操作端末３および無線通信機器２に設けておき、パラメータ値の入力の際に現在の設定値を確認したいような場合、そのパラメータの現在の設定値を無線通信機器２から読み出して、無線操作端末３の画面上に表示させるようにしてもよい。
【００２９】
無線通信機器２−２は、無線操作端末３からの機器情報設定要求メッセージＳ３を受信すると（ステップＳ２０３のＹＥＳ）、この受信した機器情報設定要求メッセージＳ３に含まれているパラメータ値を取り出し（ステップＳ２０４）、この取り出したパラメータ値を自己宛の機器情報としてメモリに書き込む（ステップＳ２０５）。この場合、既に古いパラメータ値が設定されていれば、そのパラメータ値が更新されるものとなる。この場合のパラメータ値の更新も本発明でいう機器情報の設定に相当する。
【００３０】
この無線通信ネットワークにおいて、無線通信機器２および無線操作端末３は、プロセッサや記憶装置からなるハードウェアと、これらのハードウェアと協働して各種機能を実現させるプログラムとによって実現される。図６に無線通信機器２の機能ブロック図を示し、図７に無線操作端末３の機能ブロック図を示す。
【００３１】
無線通信機器２は、自己の識別子およびアドレスを機器特定情報として記憶する機器特定情報記憶部２Ａと、無線操作端末３からブロードキャストで送られてくる機器特定情報問い合わせ要求メッセージＳ１を受信する機器特定情報問い合わせ要求メッセージ受信部２Ｂと、機器特定情報問い合わせ要求メッセージ受信部２Ｂが無線操作端末３からの機器特定情報問い合わせ要求メッセージＳ１を受信した場合、機器特定情報記憶部２Ａに記憶されている自己の識別子およびアドレスを取り出し、この取り出した自己の識別子およびアドレスを機器特定情報として含む機器特定情報問い合わせ応答メッセージＳ２を無線操作端末３へ返送する機器特定情報問い合わせ応答メッセージ送信部２Ｃとを備えている。
【００３２】
また、無線通信機器２は、無線操作端末３からの自己宛の機器情報設定要求メッセージＳ３を受信する機器情報設定要求メッセージ受信部２Ｄと、機器情報設定要求メッセージ受信部２Ｄが無線操作端末３からの機器情報設定要求メッセージＳ３を受信した場合、この機器情報設定要求メッセージＳ３に含まれているパラメータなどの設定情報を取り出し、この取り出した設定情報を自己宛の機器情報として機器情報記憶部２Ｆに書き込む機器情報書込部２Ｅと、この機器情報書込部２Ｅによって書き込まれる設定情報を機器情報として記憶する機器情報記憶部２Ｆとを備えている。
【００３３】
この無線通信機器２の機能ブロック図において、機器特定情報問い合わせ要求メッセージ受信部２Ｂおよび機器特定情報問い合わせ応答メッセージ送信部２Ｃが本発明でいう機器特定情報返送手段に相当し、機器情報設定要求メッセージ受信部２Ｄおよび機器情報書込部２Ｅが機器情報設定手段に相当する。
【００３４】
無線操作端末３は、自己の識別子およびアドレスを記憶する自己特定情報記憶部３Ａと、ユーザ操作に応じ、通信可能圏内の無線通信機器２にブロードキャストで自己のアドレスを付して機器特定情報問い合わせ要求メッセージＳ１を送信する機器特定情報問い合わせ要求メッセージ送信部３Ｂと、無線通信機器２から返送されてくる機器特定情報応答メッセージＳ２を受信する機器特定情報応答メッセージ受信部３Ｃと、機器特定情報応答メッセージ受信部３Ｃが受信した機器特定情報応答メッセージＳ２に含まれている機器特定情報（識別子とアドレスとの対）を記憶する機器特定情報記憶部３Ｄと、機器特定情報応答メッセージＳ２を返送してきた無線通信機器の一覧を表示する無線通信機器一覧表示部３Ｅとを備えている。
【００３５】
また、無線操作端末３は、無線通信機器の一覧から所望の無線通信機器がユーザによって選択された場合、その選択された無線通信機器のパラメータなどの設定情報の入力画面を表示する設定情報入力画面表示部３Ｆと、設定情報の入力画面より入力されたユーザからの設定情報を含む機器情報設定要求メッセージＳ３を無線通信機器の一覧中で選択されている無線通信機器に宛てて送信する機器情報設定要求メッセージ送信部３Ｇとを備えている。なお、機器情報設定要求メッセージ送信部３Ｇは、無線通信機器の一覧中で選択された機器のアドレスを機器特定情報記憶部３Ｄより読み出し、このアドレスによって特定される無線通信機器２に宛てて機器情報設定要求メッセージＳ３を送信する。
【００３６】
この無線操作端末３の機能ブロック図において、機器特定情報問い合わせ要求メッセージ送信部３Ｂが本発明でいう機器特定情報問い合わせ要求送信手段に相当し、無線通信機器一覧表示部３Ｅが無線通信機器一覧表示手段に相当し、機器情報設定要求メッセージ送信部３Ｇが機器情報設定要求送信手段に相当する。
【００３７】
パラメータなどの設定情報の入力の際に現在の設定値を表示させることができるようにした例を図８および図９に示す。この例では、無線通信機器２に設定値の読み出し手段として設定値読出メッセージ受信部２Ｇと設定値情報送信部２Ｈを設け、無線操作端末３に設定値の読み出し手段として設定値読出メッセージ送信部３Ｈと設定値情報受信部３Ｉを設けている。
【００３８】
この例において、無線操作端末３における設定情報入力画面表示部３Ｆは、ユーザから現在の設定値の表示要求があると、その設定値の表示要求を設定値読出メッセージ送信部３Ｈへ送る。設定値読出メッセージ送信部３Ｈは、設定情報入力画面表示部３Ｆからの設定値の表示要求を受けて、無線通信機器の一覧中で選択されている機器のアドレスを機器特定情報記憶部３Ｄより読み出し、このアドレスによって特定される無線通信機器２に宛てて設定値読出メッセージＳ４を送信する。
【００３９】
無線通信機器２は、無線操作端末３からの設定値読出メッセージＳ４を設定値読出メッセージ受信部２Ｇで受信し、その受信した設定値読出メッセージＳ４を設定値情報送信部２Ｈへ送る。設定値情報送信部２Ｈは、設定値読出メッセージ受信部２Ｇからの設定値読出メッセージＳ４を受けて、その設定値読出メッセージＳ４によって指定される機器情報記憶部２Ｆ中の現在の設定値を読み出し、この読み出した設定値を含む設定値情報Ｓ５を無線操作端末３へ返送する。
【００４０】
無線操作端末３は、無線通信機器２からの設定値情報Ｓ５を設定値情報受信部３Ｉで受信し、その受信した設定値情報Ｓ５を設定情報入力画面表示部３Ｆに送る。設定情報入力画面表示部３Ｆは、設定値情報受信部３Ｉから送られてくる設定値情報Ｓ５に含まれている設定値を表示する。
【００４１】
なお、この実施の形態１では、無線通信機器２−１〜２−６にアドレスが既に設定されているものとして説明したが、パラメータを設定する場合と同様にして、無線操作端末３からアドレスの設定も可能である。この場合、機器情報設定要求メッセージＳ３の送信に際しては、機器特定情報記憶部３Ｄに記憶されている識別子によってその宛先を特定するようにする。
【００４２】
〔実施の形態２（送信電波強度の切替）〕
上述した実施の形態１では、無線操作端末３からの機器情報問い合わせ要求メッセージＳ１を受信した全ての無線通信機器２が表示される。この場合、その中からパラメータの設定を行いたい機器を発見するのに手間がかかってしまう。
【００４３】
そこで、実施の形態２では、図１０に示すように、無線操作端末３に送信電波強度切替部３Ｊを設け、ユーザからの指示により、機器情報問い合わせ要求メッセージ送信部３Ｂからの機器情報問い合わせ要求メッセージＳ１の送信電波強度を切り替えることができるようにしている。
【００４４】
これにより、ユーザは、必要に応じて、機器情報問い合わせ要求メッセージ送信部３Ｂからの機器情報問い合わせ要求メッセージＳ１の送信電波強度を弱め、無線通信機器の一覧中に表示される機器の数を減らして、パラメータの設定を行いたい機器を絞り込んで行くことが可能となる。
【００４５】
〔実施の形態３（選択した無線通信機器の位置の確認）〕
上述した実施の形態１では、無線通信機器の一覧中から所望の機器を選択した場合、その機器が実際に設置されたどの無線通信機器であるのかを判別することができない。この場合、あらかじめアドレスまたは固有の識別子を対応づけて設置する場所を定めておくことが必要となるが、この場合、設置場所を決める手間が増えてしまう。また、誤った場所に設置してしまったような場合、誤設定が行われてしまうことになる。
【００４６】
そこで、この実施の形態３では、図１１および図１２に示すように、無線操作端末３に設置位置確認要求メッセージ送信部３Ｋを設け、無線通信機器２に設置位置確認要求メッセージ受信部２Ｉとブザー２Ｊとを設けている。
【００４７】
無線操作端末３において、設置位置確認要求メッセージ送信部３Ｋは、無線通信機器一覧表示部３Ｅが表示する無線通信機器の一覧中から所望の無線通信機器が選択された場合、その無線通信機器のアドレスを機器特定情報記憶部３Ｄより読み出し、このアドレスによって特定される無線通信機器２に宛てて設置位置確認要求メッセージＳ６を送る。
【００４８】
無線通信機器２において、設置位置確認要求メッセージ受信部２Ｉは、無線操作端末３からの自己宛の設置位置確認要求メッセージＳ６を受信し、ブザー２Ｊを鳴動させる。これにより、ユーザは、無線操作端末３において無線通信機器の一覧中から所望の機器を選択した場合、その選択した機器に対応する実際の無線通信機器２におけるブザー２Ｊの鳴動によって、その機器の設置位置を知ることができる。
【００４９】
なお、この実施の形態３では、無線通信機器２にブザーを設けるようにしたが、ブザーに代えてＬＥＤなどを設けるようにしてもよい。この例では、無線通信機器２が天井裏に設置され、目視できない場所なのでブザーとしているが、高所等、目視することができる場所に設置される場合には、ＬＥＤなどの目視による位置確認応答手段を設けておけばよい。
【産業上の利用可能性】
【００５０】
本発明の無線通信システムは、通信幹線を無線化したメッシュ構造の中規模、大規模の監視制御システムなど様々な分野で利用することが可能である。具体的には、ＶＡＶ（可変風量調節）による居室内空調システムへの適用などが考えられる。
【符号の説明】
【００５１】
１…コーディネータ、２（２−１〜２−６）…無線通信機器（ルータ）、３…無線操作端末（エンドデバイス）、Ｇ１…無線通信機器の一覧、Ｇ２…パラメータの入力画面、２Ａ…機器特定情報記憶部、２Ｂ…機器特定情報問い合わせ要求メッセージ受信部、２Ｃ…機器特定情報問い合わせ応答メッセージ送信部、２Ｄ…機器情報設定要求メッセージ受信部、２Ｅ…機器情報書込部、２Ｆ…機器情報記憶部、２Ｇ…設定値読出メッセージ受信部、２Ｈ…設定値情報送信部、２Ｉ…設定位置確認要求受信部、２Ｊ…ブザー、３Ａ…自己特定情報記憶部、３Ｂ…機器特定情報問い合わせ要求メッセージ送信部、３Ｃ…機器特定情報応答メッセージ受信部、３Ｄ…機器特定情報記憶部、３Ｅ…無線通信機器一覧表示部、３Ｆ…設定情報入力画面表示部、３Ｇ…機器情報設定要求メッセージ送信部、３Ｈ…設定値読出メッセージ送信部、３Ｉ…設定値情報受信部、３Ｊ…送信電波強度切替部、３Ｋ…設定位置確認要求メッセージ送信部。
【図１】
2011030052.tif 000003
【図２】
2011030052.tif 000004
【図３】
2011030052.tif 000005
【図４】
2011030052.tif 000006
【図５】
2011030052.tif 000007
【図６】
2011030052.tif 000008
【図７】
2011030052.tif 000009
【図８】
2011030052.tif 000010
【図９】
2011030052.tif 000011
【図１０】
2011030052.tif 000012
【図１１】
2011030052.tif 000013
【図１２】
2011030052.tif 000014